【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
ケース内に形成される三叉路及び三叉路内の回転軸上に回転可能に支持されかつ３つの頂点が形成されたデフレクタを有する偏向装置と、
何れも三叉路の異なる位置に接続されかつ三叉路から異なる方向に放射状に延伸する入出通路、保留通路及び還流通路と、
デフレクタの３つの頂点の各々を開放位置に移動して、３つの頂点の各々と三叉路の対応する内壁との間に形成されるゲートを個別に開放するアクチュエータ装置と、
入出通路、保留通路及び還流通路に沿って紙葉を搬送すると共に、ゲートを通じて入出通路、保留通路及び還流通路の一つから他方へ紙葉を搬送する搬送装置とを備え、
デフレクタは、三叉路内に回転軸上で回動可能に配置されるバッフルと、バッフルから独立して回転軸上で回動可能に配置されるクレッセントとを有し、
アクチュエータ装置は、回転軸上でバッフルを回転するバッフルアクチュエータと、回転軸上でクレッセントを回転するクレッセントアクチュエータとを有し、
バッフルアクチュエータを作動して、バッフルの下頂点を三叉路の底面から離間させて、入出通路と保留通路との間の底ゲートを開放させ、その後、搬送装置を駆動して、底ゲートを通り入出通路から保留通路に紙葉を搬送し、
クレッセントアクチュエータを作動して、クレッセントの後頂点を三叉路の後面から離間させて、保留通路と還流通路との間の後ゲートを開放させ、その後、搬送装置を駆動して、後ゲートを通り保留通路から還流通路に紙葉を搬送し、
還流通路に沿って紙葉を下方に搬送し、紙葉の下端がクレッセントの後頂点を超えてクレッセントと三叉路の前面との間を通過するとき、クレッセントアクチュエータによりクレッセントを回動し、クレッセントの前頂点を三叉路の前面から離間して、入出通路と還流通路との間の前ゲートを開放して前ゲートに紙葉を通過させて、還流通路から入出通路に紙葉を搬送し戻すことを特徴とする搬送制御装置。
【請求項２】
紙葉鑑別装置と、紙葉鑑別装置に取り付けられる還流庫とを更に備え、
紙葉鑑別装置は、入出通路に隣接して配置されて入出通路を通過する紙葉の物理的特性を検出する鑑別センサとを備え、
還流庫は、ケースの開口部及び還流通路を通る紙葉を収納し又は還流通路及び開口部を通り収納する紙葉を入出通路に排出する請求項１に記載の搬送制御装置。
【請求項３】
三叉路は、入出通路と保留通路とに連絡する底面と、入出通路と還流通路とに連絡する前面と、保留通路と還流通路とに連絡する後面とを有する請求項１に記載の搬送制御装置。
【請求項４】
デフレクタは、３辺を有する略三角形断面に形成され、３辺の各対間に３つの頂点を形成する請求項１に記載の搬送制御装置。
【請求項５】
入出通路、保留通路及び還流通路の一つから他方へ紙葉を搬送装置が搬送しないとき、アクチュエータ装置は、デフレクタの３つの頂点の各々を閉鎖位置に移動して、移動した頂点と三叉路の対応する内面との間のゲートを閉鎖する請求項１に記載の搬送制御装置。
【請求項６】
下頂点は、三叉路の底面に対して接触若しくは接近して入出通路と保留通路とを遮断し又は底面から離間して入出通路と保留通路とを開放し、
前頂点は、三叉路の前面に対して接触若しくは接近して入出通路と還流通路とを遮断し又は前面から離間して入出通路と還流通路とを開放し、
後頂点は、三叉路の後面に対して接触若しくは接近して保留通路と還流通路とを遮断し又は後面から離間して保留通路と還流通路とを開放する請求項１に記載の搬送制御装置。
【手続補正２】
【補正対象書類名】明細書
【補正対象項目名】発明の名称
【補正方法】変更
【補正の内容】
【発明の名称】搬送制御装置
【手続補正３】
【補正対象書類名】明細書
【補正対象項目名】０００１
【補正方法】変更
【補正の内容】
【０００１】
本発明は、３つの通路が交差する三叉路を通過して１つの通路から他の通路に紙葉を搬送できる搬送制御装置及び紙葉を収納しかつ収容する紙葉を排出できる搬送制御装置に関連する。
【手続補正４】
【補正対象書類名】明細書
【補正対象項目名】０００５
【補正方法】変更
【補正の内容】
【０００５】
しかしながら、紙幣鑑別装置の入出口から挿入されて入出通路に沿って搬送される紙幣を他の異なる２つ通路に選択的に搬送し又は他の通路から入出通路に選択的に搬送する偏向装置は、従来の紙幣鑑別装置では、提案されなかった。そこで、本発明は、３つの通路が交差する三叉路の一つを通過する紙葉を他の通路に選択的に搬送できる搬送制御装置を提供することを目的とする。また、本発明は、紙葉を収納しかつ収容する紙葉を排出できる搬送制御装置を提供することを目的とする。
【手続補正５】
【補正対象書類名】明細書
【補正対象項目名】０００６
【補正方法】変更
【補正の内容】
【０００６】
本発明による搬送制御装置は、ケース(4)内に形成される三叉路(7)及び三叉路(7)内の回転軸(12)上に回転可能に支持されかつ３つの頂点(21,22,23)が形成されたデフレクタ(20)を有する偏向装置(13)と、何れも三叉路(7)の異なる位置に接続されかつ三叉路(7)から異なる方向に放射状に延伸する入出通路(5)、保留通路(10)及び還流通路(11)と、デフレクタ(20)の３つの頂点(21,22,23)の各々を開放位置に移動して、３つの頂点(21,22,23)の各々と三叉路(7)の対応する内壁(7a,7b,7c)との間に形成されるゲート(27,28,29)を個別に開放するアクチュエータ装置(30)と、入出通路(5)、保留通路(10)及び還流通路(11)に沿って紙葉を搬送すると共に、ゲート(27,28,29)を通じて入出通路(5)、保留通路(10)及び還流通路(11)の一つから他方へ紙葉を搬送する搬送装置(9)とを備える。入出通路(5)、保留通路(10)及び還流通路(11)の一つに沿って搬送装置(9)により紙葉が搬送されるとき、アクチュエータ装置(30)は、３つの頂点(21,22,23)の一つを移動して、三叉路(7)の対応する内面(7a,7b,7c)と頂点(21,22,23)との間のゲート(27,28,29)を開放するので、入出通路(5)、保留通路(10)及び還流通路(11)の一つの通路から他の通路に円滑にかつ連続的に紙葉の搬送を切り換えることができる。このように、搬送制御装置は、三叉路(7)において紙葉が搬送される３つの通路の１つから他の選択された通路に紙葉の搬送を連続的かつ円滑に切り換えることができる。本発明では、三叉路(7)で３つの通路(5,10,11)の一方から他方の通路に紙葉を容易に乗り換えることができる簡素なY型偏向構造に偏向装置(13)を形成することができる。しかしながら、本発明は、３つの通路(5,10,11)の全２通路間で双方向に紙葉を切り換える必要はなく、入出通路(5)、保留通路(10)と還流通路(11)の２通路間で単方向又は双方向に紙葉を切り換えられる選択的な実施の形態も企図する。
【手続補正６】
【補正対象書類名】明細書
【補正対象項目名】０００７
【補正方法】変更
【補正の内容】
【０００７】
また、デフレクタ(20)は、三叉路(7)内に回転軸(12)上で回動可能に配置されるバッフル(14)と、バッフル(14)から独立して回転軸(12)上で回動可能に配置されるクレッセント(15)とを有する。アクチュエータ装置(30)は、回転軸(12)上でバッフル(14)を回転するバッフルアクチュエータ(16)と、回転軸(12)上でクレッセント(15)を回転するクレッセントアクチュエータ(17)とを有する。バッフルアクチュエータ(16)を作動して、バッフル(14)の下頂点(21)を三叉路(7)の底面(7a)から離間させて、入出通路(5)と保留通路(10)との間の底ゲート(27)を開放させ、その後、搬送装置(9)を駆動して、底ゲート(27)を通り入出通路(5)から保留通路(10)に紙葉を搬送する。クレッセントアクチュエータ(17)を作動して、クレッセント(15)の後頂点(23)を三叉路(7)の後面(7c)から離間させて、保留通路(10)と還流通路(11)との間の後ゲート(29)を開放させ、その後、搬送装置(9)を駆動して、後ゲート(29)を通り保留通路(10)から還流通路(11)に紙葉を搬送する。還流通路(11)に沿って紙葉を下方に搬送し、紙葉の下端がクレッセント(15)の後頂点(23)を超えてクレッセント(15)と三叉路(7)の前面(7b)との間を通過するとき、クレッセントアクチュエータ(17)によりクレッセント(15)を回動し、クレッセント(15)の前頂点(22)を三叉路(7)の前面(7b)から離間して、入出通路(5)と還流通路(11)との間の前ゲート(28)を開放して前ゲート(28)に紙葉を通過させて、還流通路(11)から入出通路(5)に紙葉を搬送し戻す。
【手続補正７】
【補正対象書類名】明細書
【補正対象項目名】０００８
【補正方法】変更
【補正の内容】
【０００８】
【図１】本発明による搬送制御装置を備える還流庫付紙葉鑑別装置の断面図
【図２】入出通路から保留通路に搬送する紙幣を示す断面図
【図３】保留通路から還流通路に搬送する紙幣を示す断面図
【図４】還流通路を通り還流庫内に収納される紙幣を入出通路に搬送する状態を示す断面図
【図５】還流庫内に収納される紙幣を還流通路から一度入出通路に取出し、その後、保留通路に搬送する状態を示す断面図
【図６】紙幣鑑別装置に取り付けられた還流庫の蓋を除去した状態を示す還流庫付紙幣鑑別装置の斜視図
【図７】還流庫の偏向板の開放状態を示す還流庫付紙幣鑑別装置の斜視図
【図８】還流庫を除去し、初期位置にあるデフレクタを示す紙幣鑑別装置の断面図
【図９】デフレクタが保留位置にあり、入出通路から保留通路に搬送する紙幣を示す三叉路の部分拡大断面図
【図１０】入出通路から保留通路に三叉路を紙幣が完全に通過して、初期位置から保留位置に戻ったデフレクタを示す部分拡大断面図
【図１１】デフレクタが預託位置にあり、三叉路の偏向装置を通り保留通路から還流通路に搬送される紙幣を示す部分拡大断面図
【図１２】デフレクタが初期位置にあり、還流通路から入出通路に搬送される紙幣を示す部分拡大断面図
【図１３】還流通路から入出通路に搬送される際に三叉路の偏向装置を通る紙幣を示す部分拡大断面図
【図１４】還流通路から入出通路に三叉路を完全に紙幣が通過した後に初期位置にあるデフレクタを示す部分拡大断面図
【図１５】偏向板が閉鎖位置にある還流庫の断面図
【図１６】蓋を開放した還流庫の断面図
【図１７】初期位置にあるデフレクタを下方から見た偏向装置の部分斜視図
【図１８】還流位置にあるデフレクタを下から見た偏向装置の部分斜視図
【図１９】初期位置にあるデフレクタを上から見た偏向装置の部分斜視図
【図２０】保留位置にあるデフレクタを上から見た偏向装置の部分斜視図
【図２１】偏向装置を構成するデフレクタの斜視図
【図２２】デフレクタの分解斜視図
【手続補正８】
【補正対象書類名】明細書
【補正対象項目名】０００９
【補正方法】変更
【補正の内容】
【０００９】
紙幣鑑別装置に適用した本発明の搬送制御装置の実施の形態を図１〜図２２について説明する。
【手続補正９】
【補正対象書類名】明細書
【補正対象項目名】００１０
【補正方法】変更
【補正の内容】
【００１０】
本実施の形態の還流庫付紙幣鑑別装置(1)は、紙幣鑑別装置(2)と、紙幣鑑別装置(2)上に取り付けられる還流庫(3)とを備える。図８に示すように、紙幣鑑別装置(2)は、ケース(4)の入出口(6)とＹ字路、即ち三叉路(7)との間で紙幣を水平に案内する入出通路(5)と、入出通路(5)に隣接して配置されて入出通路(5)を通過する紙幣の光学的特徴及び／又は磁気的特徴等の物理的特性を検出する光学センサ及び／又は磁気センサ等を含む鑑別センサ(8)と、鑑別センサ(8)を通り入出通路(5)に沿って紙幣を移動する搬送装置(9)と、三叉路(7)で入出通路(5)に連絡して下方に延伸する保留通路(10)と、三叉路(7)で入出通路(5)及び保留通路(10)に連絡して上方に延伸する還流通路(11)と、ケース(4)に取り付けられた回転軸(12)上で回転可能に三叉路(7)に配置されほぼ凹辺三角断面を有する偏向装置(13)とを備える。入出口(6)から離間してかつ還流通路(11)に連絡する開口部(18)がケース(4)に形成される。詳細には図示しないが、入出通路(5)、保留通路(10)及び還流通路(11)に沿って紙幣を搬送する搬送装置(9)は、紙幣を適切に搬送する公知の搬送ベルト、搬送ローラ又は搬送ベルト及び搬送ローラ並びにこれらの駆動装置を有する。
【手続補正１０】
【補正対象書類名】明細書
【補正対象項目名】００１３
【補正方法】変更
【補正の内容】
【００１３】
偏向装置(13)は、三叉路(7)内に配置されかつケース(4)内に取り付けられる回転軸(12)上に回転可能に支持されるデフレクタ(20)を有する。デフレクタ(20)は、三叉路(7)内に回転軸(12)上で回動可能に配置されるバッフル(14)と、バッフル(14)から独立して回転軸(12)上で回動可能に配置されるクレッセント(15)とを有する。デフレクタ(20)は、バッフル(14)、クレッセント(15)及び回転軸(12)により一体の組立体又はモジュールに形成され、デフレクタ(20)は、内側に窪む３辺(24,25,26)と、３辺(24,25,26)の各対間に形成される３つの頂点（21,22,23）とを有するほぼ凹辺三角形断面を有する。また、還流庫付紙幣鑑別装置(1)は、デフレクタ(20)の３つの頂点(21,22,23)の各々を開放位置に移動して、３つの頂点(21,22,23)の各々と三叉路(7)の対応する内壁(7a,7b,7c)との間に形成されるゲート(27,28,29)を個別に開放するアクチュエータ装置(30)を備える。アクチュエータ装置(30)は、また回転軸(12)上でバッフル(14)を回転するバッフルアクチュエータ(16)と、回転軸(12)上でクレッセント(15)を回転するクレッセントアクチュエータ(17)とを備える。バッフルアクチュエータ(16)の作動により、バッフル(14)の底頂点(21)は、三叉路(7)の底面(7a)に接触し又は接近して入出通路(5)と保留通路(10)との間の底ゲート(27)を閉鎖し又は三叉路(7)の底面(7a)から離間して、底ゲート(27)を開放することができる。
【手続補正１１】
【補正対象書類名】明細書
【補正対象項目名】００２４
【補正方法】変更
【補正の内容】
【００２４】
デフレクタ(20)が初期位置（図８、図１０及び図１２）から保留位置（図９）に移動して、搬送装置(9)を駆動すると、入出口(6)に挿入される紙幣は、搬送装置(9)により、図９に示すように、入出通路(5)及び三叉路(7)を通り、保留通路(10)内に搬送される。検出センサ（図示せず）の信号が鑑別搬送制御装置に送出されて、紙幣が三叉路(7)を完全に通過したことを確認したとき、バッフルアクチュエータ(16)が作動されて、バッフル(14)の下頂点(21)を三叉路(7)の底面(7a)に接触又は接近させて、デフレクタ(20)が初期位置に戻される。
【手続補正１２】
【補正対象書類名】図面
【補正対象項目名】図１７
【補正方法】変更
【補正の内容】
【図１７】
2013175171.tif 000001
【手続補正１３】
【補正対象書類名】図面
【補正対象項目名】図１８
【補正方法】変更
【補正の内容】
【図１８】
2013175171.tif 000002
【手続補正１４】
【補正対象書類名】図面
【補正対象項目名】図１９
【補正方法】変更
【補正の内容】
【図１９】
2013175171.tif 000003